(57)【要約】【課題】剥離フィルムによる密閉が確実に行えて、剥離フィルムの部分的剥離を、それ程強い力を必要としないで、かつ液漏れ、水漏れの問題を発生させないで行える水切り包装用容器を提供すること。【解決手段】側壁１２の一部に形成した水切り案内溝１４の口部１４ａをフランジ１３上面に開口させるとともに、当該水切り包装用容器１０の収納空間１０ａ内に連通する通気溝１５の一端１５ａを、フランジ１３上面の一部を介在させた状態で、口部１４ａの近傍に位置させたこと。【選択図】図１
2018027784.tif 000002
【特許請求の範囲】
【請求項１】
底面と、この底面から立ち上がる側壁と、上縁に密閉フィルムを剥離可能に貼り付けできるようにしたフランジとを備えた水切り包装用容器であって、
前記側壁の一部に形成した水切り案内溝の口部を前記フランジ上面に開口させるとともに、当該水切り包装用容器の収納空間内に連通する通気溝の一端を、前記フランジ上面の一部を介在させた状態で、前記口部の近傍に位置させたことを特徴とする水切り包装用容器。
【請求項２】
前記通気溝の他端が、前記水切り案内溝から離れた位置で、当該水切り包装用容器の収納空間内に連通するようにしたことを特徴とする請求項１に記載の水切り包装用容器。
【発明の詳細な説明】
【技術分野】
【０００１】
本発明は、フランジ上面に密閉フィルムが貼付される包装用容器に関し、特に、水切り機能を有した水切り包装用容器に関するものである。
【背景技術】
【０００２】
フランジ上面に密閉フィルムが貼付される包装用容器は、その収納空間内に入れられる主収納物、例えば豆腐、ゼリー、ヨーグルト、果汁入りカットフルーツ等を、水分や果汁と供に密閉フィルムによって確実に密閉できること、さらには、フランジ上面に密閉フィルムを貼付するだけで密閉を達成できることから、豆腐、ゼリー、ヨーグルト、果汁入りカットフルーツ等の包装用容器として有用なものとなっている。
【０００３】
そして、この種の包装用容器では、豆腐、ゼリー、ヨーグルト、果汁入りカットフルーツ等の主収納物を取り出す場合には、フランジ上面に貼付されている密閉フィルムを剥離しなければならない。このとき、容器に掛ける力が強すぎたり、容器を傾斜状態で持ったりしていると、密閉フィルムが剥がれ始めた部分から、上述した水分や果汁が零れ出てしまうことがある。この水分等の零れ出を防止しようと、例えば、特許文献１や特許文献２等において、その対策が講じられるようになってきている。
【先行技術文献】
【特許文献】
【０００４】
【特許文献１】特許第３６４９８５６号掲載公報
【特許文献２】特許第４４６２４９６号掲載公報
【発明の概要】
【発明が解決しようとする課題】
【０００５】
特許文献１の「カップ状容器」は、「開蓋時に内容物等の飛散がなく、しかも、従来のこの種容器と比較して大きな構造上の変化のない優れた容器を提案する」ことを目的としてなされたもので、図８に示すように、「フランジ３上面に周縁部下面を剥離可能に固着させるとともに、容器体上端開口を閉塞するシート状の蓋板５を設けてなるカップ状容器に於いて、上記胴部２の周壁2a内面上端部に一端を開口してフランジ３上面内外方向中央部まで延びる周方向複数の放射状凹溝７と、各放射状凹溝７の外側端相互を連結してフランジ上面内外方向中央部を上記周壁2aに沿って延びる連結凹溝８とからなる外気導入用凹溝Ａを、少なくとも蓋板剥離開始部位に凹設してなる」ものである。これにより、上記目的は達成されたと思われる。
【０００６】
しかしながら、この特許文献１のカップ状容器は、特許文献２の段落００１０にも記載されているように、「補助的な外気吹込み口は全て上記一対の細溝を通じて外気を吹き出すものであるので、これら細溝が外気導入路の狭隘部となり、外気吹込み口の開口面積の大きさから期待される程度には外気の導入を速やかに行なうことができない」ものと考えられる。
【０００７】
そこで、特許文献２にて提案されている「蓋付き容器」では、「空気の速やかな給排気を確保しつつ、内容液の飛出しを確実に防止する」ことを目的として、図９に示すように、特に、「容器体２内からの逆流液体の減勢部として、第1、第2径方向溝部18,22と周方向溝部20との間の各接合部分を屈折角部」とすることがなされている。
【０００８】
しかしながら、この特許文献２にて提案されている「蓋付き容器」では、空気の速やかな給排気が確保されているため、容器に掛けられる力が強すぎたり、容器を傾斜状態で持ったりしていると、逆流液体が逆に空気とともに勢いよく排出されると考えられる。
【０００９】
以上の問題の他、この種の剥離フィルムが貼付される包装用容器でもっとも重要なことは、剥離フィルムの「剥離」である。この剥離フィルムは、一般的に、容器本体を合成樹脂製のものとすることにより、そのフランジに熱融着される薄いものであるが、融着先のフランジの幅が非常に狭いものであるため、その剥離は困難なことが多い。まして、フランジの全周に貼付されている剥離フィルムは、ある一定の部分に指先で強い力を加えて、全体剥離のキッカケを作らなければならないが、このキッカケ作りが大変困難で、しかもその際に掛けられる強い力が、上述した液漏れ、水漏れの問題を発生させ易いのである。
【００１０】
そこで、本発明者等は、剥離フィルムによる密閉が確実に行えることは当然として、この剥離フィルムの部分的剥離に際しては、それ程強い力を必要としないで、かつ液漏れ、水漏れの問題を発生させないで行えるようにするにはどうしたらよいか、について種々検討を重ねてきた結果、本発明を完成したのである。
【００１１】
すなわち、本発明の目的とするところは、剥離フィルムによる密閉が確実に行えて、剥離フィルムの部分的剥離を、それ程強い力を必要としないで、かつ液漏れ、水漏れの問題を発生させないで行える水切り包装用容器を提供することにある。
【課題を解決するための手段】
【００１２】
以上の課題を解決するために、まず、請求項１に係る発明の採った手段は、後述する最良形態の説明中で使用する符号を付して説明すると、
「底面１１と、この底面１１から立ち上がる側壁１２と、上縁に密閉フィルム２０を剥離可能に貼り付けできるようにしたフランジ１３とを備えた水切り包装用容器１０であって、
側壁１２の一部に形成した水切り案内溝１４の口部１４ａをフランジ１３上面に開口させるとともに、当該水切り包装用容器１０の収納空間１０ａ内に連通する通気溝１５の一端１５ａを、フランジ１３上面の一部を介在させた状態で、口部１４ａの近傍に位置させたことを特徴とする水切り包装用容器１０」
である。
【００１３】
この請求項１に係る水切り包装用容器１０は、図１、及び図２の（ａ）に示すように、まず、底面１１から立ち上がる側壁１２の上縁に形成したフランジ１３上面に密閉フィルム２０を剥離可能に貼り付けできるようにしたことを基本的構成としているものである。そして、後述する実施形態に係る水切り包装用容器１０では、平面視四角形状にしてあるが、その少なくとも一つのコーナー部に水切り案内溝１４を形成したものである。
【００１４】
当該水切り包装用容器１０が有する水切り案内溝１４は、例えば豆腐を保護していた水や、余分な液汁を「水切り」する際に使用されるものであり、その上端に開口している口部１４ａは、例えば図１中の仮想線で示す密閉フィルム２０が熱融着されるフランジ１３のコーナー部にて周囲にフランジ１３上面を残した状態で開口させたものである。この口部１４ａは、図１にも示すように、当該水切り包装用容器１０のコーナー部にて比較的大きく開口するものであるから、「この部分から水切りが行えます」とのメッセージを発するものとなっていることは勿論、水切り作業時に、例えば図６の（ｂ）に示すように、各水切り案内溝１４が水切り包装用容器１０の内部から集めた水分や液汁を外に零れ出すことなく案内するものである。
【００１５】
また、図１にも示すように、密閉フィルム２０が貼付された状態では、この口部１４ａの周囲や、後述する各通気溝１５の一端１５ａとの間には、フランジ１３上面が位置している、つまり密閉フィルム２０が貼付された部分が残っているから、開封前の口部１４ａは完全に密閉された状態にある。ここで、口部１４ａ（密閉フィルム２０剥離の目印となっている）の周囲部分に位置する密閉フィルム２０の部分的剥離を行えば、この口部１４ａがない場合に比較すれば、それ程指先に力を加えなくとも、密閉フィルム２０の剥離は容易に行える。この口部１４ａ及び各通気溝１５の一端１５ａの面積分の剥離抵抗がないため、剥離を行わなくてもよいからである。
【００１６】
密閉フィルム２０の剥離が、指先に力を加えなくとも、容易に行えるのであれば、水切り包装用容器１０全体を持つ力や、作業時に水切り包装用容器１０を不用意に動かしてしまう力も小さくて済むことになるから、水切り包装用容器１０内の水や液汁を思いあまって漏れ出させてしまうことも少なくなる。この水切り包装用容器１０内の水や液汁を漏れ出させてしまうことを少なくする理由は、次のように、フランジ１３上面に形成した各通気溝１５の機能にも基づく。
【００１７】
本発明に係る水切り包装用容器１０の、密閉フィルム２０を剥離可能に貼り付けできるフランジ１３上面には、上述した口部１４ａの近傍に一端１５ａを位置させた通気溝１５が形成してあるが、この通気溝１５の一端１５ａと口部１４ａとの間には、フランジ１３上面の一部が介在させてある。後述する実施形態では、フランジ１３上面に口部１４ａを中心に２本の通気溝１５を形成しているが、各一端１５ａは、フランジ１３上面の一部を介在させながらも、口部１４ａの近傍に位置させてある。これらの一端１５ａは、水切りを行うために、図６の（ｂ）にも示すように、密閉フィルム２０の一部を口部１４ａ及びその近傍から剥離する場合に、口部１４ａの開放と略同時に開放されることになる。
【００１８】
口部１４ａの開放と略同時に各一端１５ａが開放されることによって、もしこの剥離作業時に水切り包装用容器１０の大きな傾斜があったり、思わぬ力が加えられたとしても、各一端１５ａから通気溝１５内に外気が入り込んだり水切り包装用容器１０の収納空間１０ａ内の空気が当該一端１５ａから排出されることにより、収納空間１０ａ内の液汁が口部１４ａから突発的に漏れ出ることはない。
【００１９】
水切り包装用容器１０が大きく傾斜されている場合は、収納空間１０ａ内の液汁が口部１４ａから水切りされる結果収納空間１０ａ内が負圧になるが、各通気溝１５の一端１５ａは、この口部１４ａの近傍に開口しているから、この一端１５ａから外気が導入されるため、口部１４ａからの水切りは円滑になされる。一方、開封時に水切り包装用容器１０に思わぬ力が加えられた場合には、収納空間１０ａ内の空気あるいは液汁が長い通気溝１５内にも供給されることになるが、この間の時間が少しあるため、この時間差によって直ちに力を弱める余裕ができ、液汁が口部１４ａや一端１５ａから飛び出してしまうことを阻止できる。
【００２０】
また、図６の（ｂ）あるいは図７に示すような水切り作業を行うにあたって、口部１４ａの開口面積は、剥離部２１を形成したことによって現れているコーナー部の面積の１／３程度（剥離抵抗は２／３程度）であるし、各一端１５ａからは外気が通気溝１５の断面積が許容する程度の少ない量で収納空間１０ａ内に供給されているから、水切りは液汁の細い流れとなって一定の速さで行われ、液汁が周囲に飛び散ることはない。
【００２１】
なお、後述する実施形態の口部１４ａは、例えば図１に示すように、収納空間１０ａ内側が底辺で、コーナー部側先端が頂点となる三角形状にしてあるから、この口部１４ａからの水切りの流れの大きさを、密閉フィルム２０の剥離部２１の大きさを加減することにより簡単に調整できる。つまり、剥離部２１を小さいままにすれば流れを細くでき、逆剥離部２１を大きくすれば流れをより太くすることができるのである。
【００２２】
従って、この請求項１に係る水切り包装用容器１０は、剥離フィルム２０による密閉が確実に行えて、剥離フィルム２０の部分的剥離を、それ程強い力を必要としないで、かつ液漏れ、水漏れの問題を発生させないで行えるものとなっているのである。
【００２３】
また、上記課題を解決するために、請求項２に係る発明の採った手段は、上記請求項１に記載の水切り包装用容器１０について、
「通気溝１５の他端１５ｂが、前記水切り案内溝１４から離れた位置で、当該水切り包装用容器１０の収納空間１０ａ内に連通するようにしたこと」
である。
【００２４】
この請求項２の水切り包装用容器１０では、図１、及び図２の（ａ）に示すように、フランジ１３上面に形成した通気溝１５の他端１５ｂを、水切り案内溝１４から離れた位置で、当該水切り包装用容器１０の収納空間１０ａ内に連通させてある。図１に示す例では、各通気溝１５の長さを口部１４ａを囲む二辺の各長さ程度としたもので、各通気溝１５の他端１５ｂは、当該水切り包装用容器１０の一辺の長さ程度水切り案内溝１４から離れた位置にある。また、図２の（ａ）に示す例では、各通気溝１５の長さを口部１４ａを囲む二辺の各長さの倍程度としたもので、各通気溝１５の他端１５ｂは、当該水切り包装用容器１０の二辺の長さ程度水切り案内溝１４から離れた位置、つまり口部１４ａを形成したコーナー部より最も遠いコーナー部にある。勿論、何れの場合も、各通気溝１５の他端１５ｂは、密閉フィルム２０が貼付されている場合であっても、水切り包装用容器１０の収納空間１０ａ内に開口、あるいは連通している。
【００２５】
従って、この請求項２に係る水切り包装用容器１０は、上記請求項１のそれと同様な機能を発揮する他、フランジ１３上面に形成してある各通気溝１５の他端１５ｂを、水切り案内溝１４の口部１４ａと対向する最も遠い位置またはコーナー部で収納空間１０ａ内に開口または連通させることができて、口部１４ａを中心とする密閉フィルム２０の部分的開封を、収納空間１０ａ内の液汁を飛び出させることなく確実に行い得るものとなっているのである。
【００２６】
また、この請求項２に係る水切り包装用容器１０では、各通気溝１５の他端１５ｂを、口部１４ａを形成したコーナー部と対向する（最も遠い）位置に形成しているため、当該水切り包装用容器１０に液汁をほぼ一杯に入れて大きく傾斜させたとしても、液汁が各通気溝１５から逆流することなく、水切り案内溝１４から一定の速さで排出することができる。
【発明の効果】
【００２７】
以上、説明した通り、本発明においては、
「底面１１と、この底面１１から立ち上がる側壁１２と、上縁に密閉フィルム２０を剥離可能に貼り付けできるようにしたフランジ１３とを備えた水切り包装用容器１０であって、
側壁１２の一部に形成した水切り案内溝１４の上端の口部１４ａをフランジ１３上面に開口させるとともに、このフランジ１３上面に形成した通気溝１５の一端１５ａを、フランジ１３上面の一部を介在させた状態で、口部１４ａの近傍に位置させたこと」
にその構成上の主たる特徴があり、これにより、密閉フィルム２０による密閉が確実に行えて、密閉フィルム２０の部分的剥離を、それ程強い力を必要としないで、かつ液漏れ、水漏れの問題を発生させないで行える水切り包装用容器１０を提供することができるのである。
【図面の簡単な説明】
【００２８】
【図１】本発明に係る水切り包装用容器１０の平面図である。
【図２】同水切り包装用容器１０の他の実施例を示すもので、（ａ）は平面図、（ｂ）は（ｃ）の状態とした場合の左部分縦断面図、（ｃ）は正面図である。
【図３】同水切り包装用容器１０を示すもので、（ａ）は背面図、（ｂ）は（ａ）で見えている水切り案内溝１４を中心にしてみた図示右部分のコーナー部正面図である。
【図４】同水切り包装用容器１０を示すもので、（ａ）は（ｃ）中の１−１線部のコーナー部正面図、（ｂ）は（ｃ）中の１−１線で沿って見た部分縦断面図、（ｃ）は水切り包装用容器１０の口部１４ａを形成した部分の部分平面図である。
【図５】同水切り包装用容器１０を示すもので、（ａ）は縦断面図、（ｂ）は２つの水切り包装用容器１０をネスティングしたときの部分断面図である。
【図６】同水切り包装用容器１０を示すもので、（ａ）はフランジ１３上面に密閉フィルム２０を貼付した状態の斜視図、（ｂ）は、この水切り包装用容器１０を少し傾けて密閉フィルム２０に剥離部２１を形成したときの斜視図である。
【図７】各通気溝１５の他端１５ｂを、口部１４ａを形成したコーナー部と対向する（最も遠い）位置に形成した水切り包装用容器１０を少し傾けて、その密閉フィルム２０に剥離部２１を形成したときの水切り包装用容器１０の斜視図である。
【図８】特許文献１にて提案されている従来技術を示すもので、（ａ）は部分断面正面図、（ｂ）は平面図、（ｃ）は部分拡大断面図である。
【図９】特許文献２にて提案されている従来技術を示すもので、（ａ）は縦断面図、（ｂ）は部分拡大断面図、（ｃ）は密閉フィルムを貼付する前の斜視図である。
【発明を実施するための形態】
【００２９】
次に、以上のように構成した各請求項に係る発明を、図面に示した実施の形態である水切り包装用容器１０について説明すると、図１には、一実施形態に係る水切り包装用容器１０の平面図が示してある。この実施形態の水切り包装用容器１０は、平面視略四角形状のものであり、４つのコーナー部を有するものとしてある。勿論、この水切り包装用容器１０の平面視形状を四角にする必要はなく、図８や図９に示した従来技術のように、平面視形状を「丸型」にして実施してもよく、その他の形状であってもよい。
【００３０】
この水切り包装用容器１０は、「容器」であるから、底面１１の周縁から立ち上がる側面１２の上端にフランジ１３を形成したものである。一般的な容器のフランジは、開口部周縁の補強を行ったり、蓋体の嵌合や係止を行ったりするものであるが、本発明に係る水切り包装用容器１０のフランジ１３は、その上面に密閉のための密閉フィルム２０を熱融着によって貼付する部分でもあるから、底面１１と平行な平面を主とするものである。なお、本実施形態の水切り包装用容器１０では、図１や図２の（ｃ）に示したように、その底面１１やフランジ１３にリブ１６が形成してあり、これらのリブ１６によって、水切り包装用容器１０全体の補強や模様付けを積極的に行うようにしている。
【００３１】
本実施形態の水切り包装用容器１０は、平面視四角形状のものであるため、側面１２の４つの屈曲部がそれぞれコーナー部となっているが、その内の一つのコーナー部には、図３にも示すような水切り案内溝１４が形成してある。この水切り案内溝１４は、図４の（ｂ）にも示したように、外側に凹む３本の溝からなっており、水切りする際の液汁の濾し取り（当該水切り包装用容器１０を図６の（ｂ）に示したような傾斜状態にしたとき、収納空間１０ａ内の内容物と、これが含んでいた液汁とを分離する機能）を容易にできるようにしている。勿論、３本の溝からなる当該水切り案内溝１４は、それ自体「リブ」の役目も果たすから、水切り包装用容器１０のコーナー部での補強を行っていることは言うまでもない。
【００３２】
また、この水切り案内溝１４の上端は口部１４ａとしてあり、この口部１４ａによって３本の溝を纏めた状態となっている。この口部１４ａは、フランジ１３の平面的な上面上に開口する状態で形成してあり、図１及び図６に示したように、フランジ１３の上面上に密閉フィルム２０を貼付したとき、この密閉フィルム２０によって完全に閉じられるようになっている。
【００３３】
また、本実施形態の口部１４ａは、図１に示したように、収納空間１０ａ内側が底辺で、コーナー部側先端が頂点となる平面視三角形状にしてある。このため、この口部１４ａからの水切りを行うにあたって、水切り流れの大きさを、密閉フィルム２０の剥離部２１の大きさを加減することにより簡単に調整できる。つまり、剥離部２１を小さいままにすれば流れを細くでき、逆剥離部２１を大きくすれば大きくすれば流れをより太くすることができることになる。
【００３４】
本実施形態における水切り包装用容器１０の、密閉フィルム２０を剥離可能に貼り付けできるフランジ１３上面には、図１及び図２の（ａ）に示したように、上述した口部１４ａの近傍に一端１５ａを位置させた通気溝１５が形成してある。また、この通気溝１５の一端１５ａと口部１４ａとの間には、フランジ１３上面の一部が介在させてあるし、フランジ１３上面に口部１４ａを中心に２本の通気溝１５を形成しているが、各一端１５ａは、フランジ１３上面の一部を介在させながらも、口部１４ａの近傍に位置させてある。これらの一端１５ａは、水切りを行うために、図６の（ｂ）にも示したように、密閉フィルム２０の一部を口部１４ａ及びその近傍から剥離した場合に、口部１４ａの開放と略同時に開放されることになるものである。
【００３５】
各通気溝１５は、その各一端１５ａが口部１４ａの開放と略同時に開放されることによって、もしこの剥離作業時に水切り包装用容器１０の大きな傾斜があったり、思わぬ力が加えられたとしても、各一端１５ａから通気溝１５内に外気が入り込んだり水切り包装用容器１０の収納空間１０ａ内の空気が当該一端１５ａから排出されることにより、収納空間１０ａ内の液汁が外部に漏れ出ることを防止するものである。
【００３６】
水切り包装用容器１０が大きく傾斜された場合は、収納空間１０ａ内の液汁が口部１４ａから水切りされる結果収納空間１０ａ内が負圧になるが、各通気溝１５の一端１５ａは、この口部１４ａの近傍に開口しているから、この一端１５ａから外気が導入されるため、口部１４ａからの水切りは円滑になされる。一方、開封時に水切り包装用容器１０に思わぬ力が加わった場合には、収納空間１０ａ内の空気あるいは液汁が長い通気溝１５内にも供給されることになるが、この間の時間が少しあるため、この時間差によって直ちに力を弱める余裕ができ、液汁が口部１４ａや一端１５ａから飛び出しが阻止される。
【００３７】
さらに、この実施形態の水切り包装用容器１０では、図１、及び図２の（ａ）に示したように、フランジ１３上面に形成した通気溝１５の他端１５ｂを、水切り案内溝１４から離れた位置で、当該水切り包装用容器１０の収納空間１０ａ内に連通させてある。図１に示した例では、各通気溝１５の長さを口部１４ａを囲む二辺の各長さ程度としたもので、各通気溝１５の他端１５ｂは、当該水切り包装用容器１０の一辺の長さ程度水切り案内溝１４から離れた位置にある。また、図２の（ａ）に示した例では、各通気溝１５の長さを口部１４ａを囲む二辺の各長さの倍程度としたもので、各通気溝１５の他端１５ｂは、当該水切り包装用容器１０の二辺の長さ程度水切り案内溝１４から離れた位置、つまり口部１４ａを形成したコーナー部と対向する（最も遠い）コーナー部にある。勿論、何れの場合も、各通気溝１５の他端１５ｂは、密閉フィルム２０が貼付されている場合であっても、水切り包装用容器１０の収納空間１０ａ内に開口、あるいは連通している。
【００３８】
本実施形態の水切り包装用容器１０では、複数のものをネスティングする場合に、互いにブロッキングを起こさないようにする工夫も施してある。つまり、この水切り包装用容器１０において、フランジ１３の内側にて垂れ下がって側面１２に連なる部分は、図２の（ｂ）及び（ｃ）に示したように、アンダーカット部１７として形成しておき、このアンダーカット部１７の下部部分が、図５の（ｂ）に示したようなネスティングを行う場合に、下側の水切り包装用容器１０のフランジ１３上に乗るようにしたものである。このアンダーカット部１７は、その下部が当該水切り包装用容器１０の収納空間１０ａより外側に膨出するものであり、上述したブロッキング防止機能を果たすものである。
【符号の説明】
【００３９】
１０    水切り包装用容器
１０ａ  収納空間
１１    底面
１２    側面
１３    フランジ
１４    水切り案内溝
１４ａ  口部
１５    通気溝
１５ａ  一端
１５ｂ  他端
１６    リブ
１７    アンダーカット部
２０    密閉フィルム
２１    剥離部
【図１】
2018027784.tif 000003
【図２】
2018027784.tif 000004
【図３】
2018027784.tif 000005
【図４】
2018027784.tif 000006
【図５】
2018027784.tif 000007
【図６】
2018027784.tif 000008
【図７】
2018027784.tif 000009
【図８】
2018027784.tif 000010
【図９】
2018027784.tif 000011